【手続補正書】
【提出日】平成20年5月15日(2008.5.15)
【手続補正１】
【補正対象書類名】明細書
【補正対象項目名】特許請求の範囲
【補正方法】変更
【補正の内容】
【特許請求の範囲】
【請求項１】
傾斜している文書の傾斜している画像について傾斜訂正情報を提供する方法であって、前記方法は、
前記傾斜している文書について傾斜情報を決定し、
前記傾斜している画像について隅位置を決定し、
前記傾斜している画像について寸法を決定し、
前記傾斜している書類を走査する前に、前記傾斜情報、前記隅位置、及び前記寸法に基づいて、前記傾斜している画像についての前記傾斜訂正情報を決定し、
複数のセンサーを読み、どのセンサーが前記傾斜している文書に当たるかを決定すること、
を含む前記方法。
【請求項２】
前記隅位置を決定することは、
前記傾斜している文書について隅位置を決定し、前記傾斜している文書についての前記隅位置を回転された位置へ変換し、それによって、前記傾斜している画像が訂正されるようにしたことを特徴とする請求項１に記載の方法。
【請求項３】
スキャナーにおいて傾斜している文書の傾斜している画像を訂正するためのシステムであって、前記システムは、
前記スキャナーの文書流れ方向に対して直角な直線内に位置する複数の傾斜センサーであって、前記傾斜している文書についての傾斜情報を供給する前記傾斜センサーと、
前記文書流れ方向に沿って位置する少なくとも１つの横センサーであって、前記文書の横位置を示すデータを供給する前記横センサーと、
前記傾斜センサー及び前記横センサーを読むための手段と、
前記傾斜している文書を走査する前に、前記傾斜している画像について傾斜訂正情報を決定するための手段と、
前記傾斜している文書を実時間走査している間に前記傾斜している画像を訂正するための手段と、
を備えた前記システム。
【請求項４】
前記傾斜センサー及び前記横センサーは、前記傾斜している画像の相対的位置及び方位を示すデータを供給する符号器カウンターを含み、
前記傾斜訂正情報を決定するための前記手段は、
前記傾斜している画像を回転させるための回転角を決定するための手段と、
前記傾斜している画像を回転させる方向を決定するための手段と、
を含む請求項３に記載のシステム。
【請求項５】
前記傾斜訂正情報を決定するための前記手段は、前記傾斜している画像について隅位置を決定するための手段を含む請求項４に記載のシステム。
【手続補正２】
【補正対象書類名】明細書
【補正対象項目名】００２４
【補正方法】変更
【補正の内容】
【００２４】
ここに開示されている傾斜訂正方法及びシステムの現在好ましい実施の形態に対する大幅な変更及び修正が考えられることが理解されるであろう。従って、好ましい実施の形態が例として図示され詳しく説明されているけれども、公表された例により定義される本発明の範囲から逸脱せずに更なる修正及び実施の形態が可能である。従って、本発明は、添付されている請求項及び全ての法定同等物により定義される。
なお、本願で開示した発明は以下の通りである。
本発明の方法は、傾斜している文書の傾斜している画像について傾斜訂正情報を提供する方法であって、前記方法は：（ａ）前記傾斜している文書について傾斜情報を決定し；（ｂ）前記傾斜している画像について隅位置を決定し；（ｃ）前記傾斜している画像について寸法を決定し；（ｄ）前記傾斜している書類を走査する前に、前記傾斜情報、前記隅位置、及び前記寸法に基づいて、前記傾斜している画像についての前記傾斜訂正情報を決定することを含む。
好適な態様では、前記傾斜情報を決定することは：（ｅ）複数のセンサーを読み、どのセンサーが前記傾斜している文書に当たるかを決定することを含む。また、前記傾斜情報を決定することは：（ｆ）前記傾斜している画像について回転角を決定し；（ｇ）前記傾斜している画像について回転方向を決定することを含む。他の好適な態様では、前記隅位置を決定することは：（ｈ）前記傾斜している文書について隅位置を決定する。他の好適な態様では、前記傾斜訂正情報を決定することは：（ｉ）前記傾斜している文書についての前記隅位置を回転された位置へ変換することを含み、それによって、前記傾斜している画像が訂正されるようにした。
他の本発明は、スキャナーにおいて傾斜している文書の傾斜している画像についての傾斜訂正情報を提供する方法であって、前記方法は：（ａ）第１センサーが前記傾斜している文書に当たったときに前記傾斜している文書に関する第１傾斜情報を示す第１センサー・データを読み；（ｂ）第２センサーが前記傾斜している文書に当たったときに前記文書に関する第２傾斜情報を示す第２センサー・データを読み；（ｃ）前記第２センサーが前記傾斜している文書に当たったときに前記文書に関する第３傾斜情報を示す第３センサー・データを読み：（ｄ）前記傾斜している文書を走査する前に、前記第１、第２及び第３の傾斜情報を用いて、前記傾斜している画像について前記傾斜訂正情報を決定することを含む。
好適な態様では、前記傾斜している画像について前記傾斜訂正情報を決定することは：（ｅ）前記傾斜している画像について回転角を決定し；（ｆ）前記傾斜している画像についての回転方向を決定する。他の好適な態様では、前記傾斜訂正情報を決定することは：（ｇ）前記傾斜している画像について隅位置を決定することを含む。他の好適な態様では、前記傾斜訂正情報を決定することは：（ｈ）前記傾斜している文書についての隅位置を決定することを含む。他の好適な態様では、前記傾斜訂正情報を決定することは：（ｉ）前記傾斜している文書についての前記隅位置を回転された位置へ変換し、それによって、前記傾斜している画像が訂正されるようにした。
他の本発明は、スキャナーにおいて傾斜している文書の傾斜している画像を訂正するためのシステムであって、前記システムは：（ａ）前記スキャナーの文書流れ方向に対して直角な直線内に位置する複数の傾斜センサーであって、前記傾斜している文書についての傾斜情報を供給する前記傾斜センサーと；（ｂ）前記文書流れ方向に沿って位置する少なくとも１つの横センサーであって、前記文書の横位置を示すデータを供給する前記横センサーと；（ｃ）前記傾斜センサー及び前記横センサーを読むための手段と；（ｄ）前記傾斜している文書を走査する前に、前記傾斜している画像について傾斜訂正情報を決定するための手段と；（ｅ）前記傾斜している文書を実時間走査している間に前記傾斜している画像を訂正するための手段とを備える。
好適な態様では、前記傾斜センサー及び前記横センサーは、前記傾斜している画像の相対的位置及び方位を示すデータを供給する符号器カウンターを含む。他の好適な態様では、前記傾斜訂正情報を決定するための前記手段は：（ｆ）前記傾斜している画像を回転させるための回転角を決定するための手段と；（ｇ）前記傾斜している画像を回転させる方向を決定するための手段とを含む。他の好適な態様では、前記傾斜訂正情報を決定するための前記手段は：（ｈ）前記傾斜している画像について隅位置を決定するための手段を含む。他の好適な態様では、前記傾斜訂正情報を決定するための前記手段は：（ｉ）回転された位置における前記傾斜している文書について隅位置を決定するための手段を含む。他の好適な態様では、前記傾斜訂正情報を決定するための前記手段は：（ｊ）前記傾斜している画像が傾斜されることなく位置決めされるように前記傾斜している画像を回転させるための手段を含む。他の好適な態様では、傾斜している文書の傾斜している画像を訂正する方法であって、前記方法は：（ａ）前記傾斜している文書を走査する前に前記傾斜している文書について傾斜情報を決定し；（ｂ）前記傾斜している文書の実時間走査中に前記傾斜情報に基づいて前記傾斜している画像を訂正することを含む。